(57)【要約】【課題】ＰＯＮシステムにおいて、ＯＮＵがパワーセーブモードで動作している間に、キープアライブ通信の成功率を高める。【解決手段】ＰＯＮシステムのＯＮＵは、ＯＬＴからの制御に基づいて、通常モードと、スリープ期間とアクティブ期間とを周期的に繰り返すパワーセーブモードとの間で動作モードを切り替える動作モード切替部と、ＯＬＴからキープアライブメッセージを受信したときに、ＯＬＴに応答メッセージを送信するキープアライブ応答部とを備える。ＯＬＴは、ＯＮＵの動作モードを通常モードとパワーセーブモードとのいずれかに制御する動作モード制御部と、パワーセーブモードのＯＮＵに対し、アクティブ期間よりも短いパワーセーブモード用送信間隔で、キープアライブメッセージを周期的に送信するキープアライブ送信部と、ＯＮＵからの応答メッセージを受信するキープアライブ受信部とを備える。【選択図】図４
2014175753.tif 000002
【特許請求の範囲】
【請求項１】
局側装置と複数の加入者側装置との間で光信号を送受信するＰＯＮシステムであって、
前記加入者側装置は、
前記局側装置からの制御に基づいて、通常モードと、スリープ期間とアクティブ期間とを周期的に繰り返すパワーセーブモードとの間で動作モードを切り替える動作モード切替部と、
前記局側装置からキープアライブメッセージを受信したときに、前記局側装置に応答メッセージを送信するキープアライブ応答部と、を備え、
前記局側装置は、
前記加入者側装置の動作モードを通常モードとパワーセーブモードとのいずれかに制御する動作モード制御部と、
パワーセーブモードの加入者側装置に対し、前記アクティブ期間よりも短いパワーセーブモード用送信間隔で、キープアライブメッセージを周期的に送信するキープアライブ送信部と、
前記加入者側装置からの応答メッセージを受信するキープアライブ受信部と、を備える、
ことを特徴とするＰＯＮシステム。
【請求項２】
前記パワーセーブモード用送信間隔は、通常モードの加入者側装置に対してキープアライブメッセージを送信する通常モード用送信間隔よりも短いことを特徴とする請求項１に記載のＰＯＮシステム。
【請求項３】
前記キープアライブ送信部は、パワーセーブモードの加入者側装置に対してキープアライブメッセージを送信するパワーセーブモード用送信回数を、前記スリープ期間を前記パワーセーブモード用送信間隔で割った値よりも大きな整数に設定することを特徴とする請求項１または２に記載のＰＯＮシステム。
【請求項４】
前記パワーセーブモード用送信回数は、通常モードの加入者側装置に対してキープアライブメッセージを送信する通常モード用送信回数よりも少ないことを特徴とする請求項３に記載のＰＯＮシステム。
【請求項５】
複数の加入者側装置との間で光信号を送受信するＰＯＮシステムの局側装置であって、
前記加入者側装置の動作モードを、通常モードと、スリープ期間とアクティブ期間とを周期的に繰り返すパワーセーブモードとのいずれかに制御する動作モード制御部と、
パワーセーブモードの加入者側装置に対し、前記アクティブ期間よりも短いパワーセーブモード用送信間隔で、キープアライブメッセージを周期的に送信するキープアライブ送信部と、
前記加入者側装置からの応答メッセージを受信するキープアライブ受信部と、
を備えることを特徴とする局側装置。
【請求項６】
前記パワーセーブモード用送信間隔は、通常モードの加入者側装置に対してキープアライブメッセージを送信する通常モード用送信間隔よりも短いことを特徴とする請求項５に記載の局側装置。
【請求項７】
前記キープアライブ送信部は、パワーセーブモードの加入者側装置に対してキープアライブメッセージを送信するパワーセーブモード用送信回数を、前記スリープ期間を前記パワーセーブモード用送信間隔で割った値よりも大きな整数に設定することを特徴とする請求項５または６に記載の局側装置。
【請求項８】
前記パワーセーブモード用送信回数は、通常モードの加入者側装置に対してキープアライブメッセージを送信する通常モード用送信回数よりも少ないことを特徴とする請求項７に記載の局側装置。
【発明の詳細な説明】
【技術分野】
【０００１】
本発明は、局側装置と複数の加入者側装置との間で通信を行うＰＯＮ（Passive Optical Network）システムに関する。
【背景技術】
【０００２】
従来より、一般家庭等の加入者宅を対象とした加入者系光ファイバネットワークシステムとして、ＰＯＮシステムが知られている。このＰＯＮシステムは、通信事業者局舎に設置される局側装置（ＯＬＴ：Optical Line Terminal）に接続された１本の光ファイバを光スプリッタにより分岐し、複数の加入者側装置（ＯＮＵ：Optical Network Unit）と接続したものである。ＰＯＮシステムは、ＯＬＴとＯＮＵを１対１で接続するシングルスター型のシステムに比べ、複数のＯＮＵで１本の光ファイバを共用するため低コストな光通信ネットワークを構築できる。ＰＯＮシステムには、例えば、ＯＬＴとＯＮＵとの間をＥｔｈｅｒｎｅｔ（登録商標）方式で通信するＥ−ＰＯＮシステムやＧＥ−ＰＯＮシステムがある。
【０００３】
近年、Ｅ−ＰＯＮシステムにおいて、ＯＮＵの省電力化機能が提唱されている。ＩＥＥＥ１９０４．１（ＳＩＥＰＯＮ：Service Interoperability in Ethernet Passive Optical Networks）で規格化が進んでいるのが、ＰＯＮ区間の通信トラフィックの有無に応じてＯＮＵの送信・受信機能を一時的にスリープ（停止）させるパワーセーブモードである。
【０００４】
このＳＩＥＰＯＮのパワーセーブモードでは、ＯＬＴは、まずスリープさせたいＯＮＵに対してパワーセーブモードの開始を示すＳＬＥＥＰ＿ＡＬＬＯＷメッセージを送信する。ＯＮＵはスリープ可能であればパワーセーブモードの開始を了解するＳＬＥＥＰ＿ＡＣＫメッセージを返答し、間欠動作（アクティブ状態とスリープ状態の繰り返し）を開始する。
【先行技術文献】
【特許文献】
【０００５】
【特許文献１】特開２０１０−１１４８３０号公報
【発明の概要】
【発明が解決しようとする課題】
【０００６】
ところで、ＰＯＮシステムは通常、ＯＬＴとＯＮＵ間の接続が有効な状態であることを確認するために、キープアライブ機能を有している。ＯＬＴは、一定の時間間隔でキープアライブメッセージをＯＮＵに送信する。ＯＮＵは、受信したキープアライブメッセージに対し、応答メッセージをＯＬＴに送信する。ＯＬＴは、このようなキープアライブ通信が成功したか否か検出することで、途中の通信経路やＯＮＵの正常／異常を判断できる。
【０００７】
しかしながら、ＯＮＵがパワーセーブモードで動作している場合、該ＯＮＵはＯＬＴからのキープアライブメッセージを受信することができず、応答メッセージをＯＬＴに送信することができない可能性がある。従って、ＯＬＴとＯＮＵ間の接続が有効な状態であるにもかかわらず、ＯＬＴにより通信経路やＯＮＵに異常が発生したと判断され、論理リンク（Logical Link）の切断（タイムアウト）が行われる可能性がある。ＯＬＴとＯＮＵ間の論理リンクが一旦切断されると、再度ディスカバリ・ハンドシェークを行わなければならないため、通信サービスが一時的に停止することになる。
【０００８】
本発明はこうした状況に鑑みてなされたものであり、その目的は、ＯＮＵがパワーセーブモードで動作している間に、キープアライブ通信の成功率を高めることのできるＰＯＮシステムを提供することにある。
【課題を解決するための手段】
【０００９】
上記課題を解決するために、本発明のある態様のＰＯＮシステムは、局側装置と複数の加入者側装置との間で光信号を送受信するＰＯＮシステムである。加入者側装置は、局側装置からの制御に基づいて、通常モードと、スリープ期間とアクティブ期間とを周期的に繰り返すパワーセーブモードとの間で動作モードを切り替える動作モード切替部と、局側装置からキープアライブメッセージを受信したときに、局側装置に応答メッセージを送信するキープアライブ応答部とを備える。局側装置は、加入者側装置の動作モードを通常モードとパワーセーブモードとのいずれかに制御する動作モード制御部と、パワーセーブモードの加入者側装置に対し、アクティブ期間よりも短いパワーセーブモード用送信間隔で、キープアライブメッセージを周期的に送信するキープアライブ送信部と、加入者側装置からの応答メッセージを受信するキープアライブ受信部とを備える。
【００１０】
本発明の別の態様は、局側装置である。この装置は、複数の加入者側装置との間で光信号を送受信するＰＯＮシステムの局側装置であって、加入者側装置の動作モードを、通常モードと、スリープ期間とアクティブ期間とを周期的に繰り返すパワーセーブモードとのいずれかに制御する動作モード制御部と、パワーセーブモードの加入者側装置に対し、アクティブ期間よりも短いパワーセーブモード用送信間隔で、キープアライブメッセージを周期的に送信するキープアライブ送信部と、加入者側装置からの応答メッセージを受信するキープアライブ受信部とを備える。
【００１１】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１２】
本発明によれば、ＯＮＵがパワーセーブモードで動作している間に、キープアライブ通信の成功率を高めることのできるＰＯＮシステムを提供できる。
【図面の簡単な説明】
【００１３】
【図１】本発明の実施形態に係るＰＯＮシステムを示す図である。
【図２】ＯＮＵのパワーセーブモードの設定手順を説明するためのシーケンス図である。
【図３】従来のＰＯＮシステムにおけるパワーセーブ機能とキープアライブ機能の動作を説明するためのシーケンス図である。
【図４】本実施形態に係るＰＯＮシステムにおけるパワーセーブ機能とキープアライブ機能の動作を説明するためのシーケンス図である。
【図５】本実施形態に係るＯＬＴの構成を説明するための図である。
【発明を実施するための形態】
【００１４】
図１は、本発明の実施形態に係るＰＯＮシステム１０を示す図である。図１に示すように、ＰＯＮシステム１０は、局側装置（ＯＬＴ）１４に接続された１本の基幹光ファイバ１１が光スプリッタ１６_１〜１６_３により複数の分岐光ファイバ１３_１〜１３_４に分岐され、該分岐光ファイバ１３_１〜１３_４の端部に複数の加入者側装置（ＯＮＵ）１２_１〜１２_４が接続された構成となっている。なお、以下においては、ＯＮＵ１２_１〜１２_４を総称して適宜「ＯＮＵ１２」と呼ぶ。
【００１５】
ＰＯＮシステム１０において、ＯＬＴ１４と各ＯＮＵ１２との間で通信を行うためには、ＯＬＴ１４と各ＯＮＵ１２との間で論理リンクが確立される必要がある。ＰＯＮシステム１０において、ＯＬＴ１４から各ＯＮＵ１２への下り光信号は、時分割多重（ＴＤＭ：Time Division Multiplexing）により多重化された連続的な光信号である。ＯＬＴ１４から出力された下り光信号は、光スプリッタにつながる全てのＯＮＵ１２に送信されるが、論理リンクが確立されたＯＮＵ１２のみが自身に送信された光信号を取り込むことができる。
【００１６】
一方、各ＯＮＵ１２からＯＬＴ１４への上り光信号は、ＴＤＭＡ（Time Division Multiple Access）方式により多重化される。ＴＤＭＡでは、各ＯＮＵ１２からの光信号が衝突するのを防ぐため、各光信号間にガードタイムと呼ばれる無信号区間が挿入される。そのため、ＯＬＴ１４から各ＯＮＵ１２への下り光信号が連続的な光信号となるのと異なり、ＯＮＵ１２からＯＬＴ１４への上り光信号は、信号の送出が間欠的に行われるバースト状の光信号となる。ＰＯＮシステムにおいては、一般的に、ＯＬＴ１４の動的帯域割当機能（ＤＢＡ：Dynamic Bandwidth Allocation）により、各ＯＮＵ１２の光信号の送信順序および各ＯＮＵ１２に割り当てる信号帯域が制御される。
【００１７】
本実施形態に係るＰＯＮシステム１０は、ＯＮＵ１２のパワーセーブ機能を有する。ＯＮＵ１２がパワーセーブモードに設定されている場合、ＯＮＵの送受信機能が周期的にスリープされる。送信機能のスリープは、例えばレーザやレーザ制御回路等への電力供給を停止または削減することによりなされる。また、受信機能のスリープは、例えばフォトダイオードや増幅器等への電力供給を停止または削減することによりなされる。このようなＯＮＵ１２におけるパワーセーブモードと、送受信機能を常に動作状態に保つ通常モードとの切替は、ＯＬＴ１４からの制御に基づいて行われる。
【００１８】
図２は、ＯＮＵのパワーセーブモードの設定手順を説明するためのシーケンス図である。パワーセーブモードに設定したいＯＮＵ１２がある場合、ＯＬＴ１４は、まず該ＯＮＵ１２にスリープ要求（ＳＬＥＥＰ＿ＡＬＬＯＷ）メッセージを送信する。スリープ要求メッセージを受信したＯＮＵ１２は、ＯＬＴ１４にスリープ開始了解（ＳＬＥＥＰ＿ＡＣＫ）メッセージを送信するとともに、自身の動作モードを通常モードからパワーセーブモードに切り替える。パワーセーブモードの設定に関するメッセージの送受信は、ＭＰＣＰ（Multi-Point Control Protocol）フレームを使用して行われる。
【００１９】
動作モードがパワーセーブモードに設定されている間、ＯＮＵ１２は、スリープ状態とアクティブ状態を交互に繰り返す。スリープ期間には、ＯＮＵの送受信機能が停止される。一方、アクティブ期間には、ＯＮＵ１２の送受信機能が動作可能に設定される。スリープ期間、アクティブ期間は、通常、数十ミリ秒〜数秒程度である。パワーセーブモードにおいては、スリープ期間が長くなればＯＮＵ１２の省電力効果が大きくなる。
【００２０】
ＯＮＵ１２のパワーセーブモードを解除したい場合、ＯＬＴ１４は、ＯＮＵ１２にスリープ解除メッセージを送信する。スリープ解除メッセージを受信したＯＮＵ１２は、ＯＬＴ１４にスリープ解除了解メッセージを送信するとともに、自身の動作モードをパワーセーブモードから通常モードに切り替える。ＯＮＵ１２のパワーセーブモードを解除してから次に再度パワーセーブモードに設定するまでの時間は、「ホールド時間（HOLD DURATION」と呼ばれる。ホールド時間は、数十ミリ秒〜数分程度である。
【００２１】
また、本実施形態に係るＰＯＮシステム１０は、ＯＬＴ１４とＯＮＵ１２間の接続が有効な状態であることを確認するために、キープアライブ機能を有する。ＯＬＴ１４は、所定の送信間隔でキープアライブ（ＫＥＥＰ＿ＡＬＩＶＥ）メッセージをＯＮＵ１２に送信する。ＯＮＵ１２は、受信したキープアライブメッセージに対し、キープアライブＡＣＫ（ＫＥＥＰ＿ＡＬＩＶＥ＿ＡＣＫ）をＯＬＴに送信する。ＯＬＴ１４は、ＯＮＵ１２から応答メッセージが到着したか否か検出することで、途中の通信経路やＯＮＵ１２の正常／異常を判断できる。キープアライブ機能に関するメッセージの送受信は、ＯＡＭ（Operation,Administration,Maintenance）フレームを使用して行われる。
【００２２】
送信したキープアライブメッセージに対する応答メッセージがＯＮＵ１２から返ってこない場合、ＯＬＴ１４は、キープアライブメッセージを再送する。所定の送信回数を終了すると、ＯＬＴ１４はキープアライブ失敗と判断し、論理リンクの切断等の所定の処理を行う。キープアライブメッセージの送信回数は、キープアライブ通信が成功する毎に（すなわち、ＯＮＵ１２からキープアライブＡＣＫメッセージが返ってくる毎に）「０」にリセットされる。
【００２３】
従来のＰＯＮシステムにおいては、上述したパワーセーブ機能とキープアライブ機能は、互いに独立して動作している。図３は、従来のＰＯＮシステムにおけるパワーセーブ機能とキープアライブ機能の動作を説明するためのシーケンス図である。
【００２４】
ＯＬＴは、所定の送信間隔（例えば数秒間隔）でキープアライブメッセージを送信している（図３において、時間順にキープアライブ１〜３とする）。図３に示すように、キープアライブメッセージがＯＮＵに到着したときにＯＮＵが通常モードであれば（図３のキープアライブ１参照）、ＯＮＵはキープアライブメッセージを適切に受信でき、ＯＬＴにキープアライブＡＣＫメッセージを返すことができる。
【００２５】
しかしながら、キープアライブメッセージがＯＮＵに到着したときにＯＮＵがパワーセーブモードのスリープ状態であれば（図３のキープアライブ２参照）、ＯＮＵはＯＬＴからのキープアライブメッセージを受信することができず、ＯＬＴにキープアライブＡＣＫメッセージを返すことができない。
【００２６】
従来のＰＯＮシステムにおいて、ＯＮＵがパワーセーブモードに設定されているときに確実にキープアライブ通信を行うためには、ＯＬＴからＯＮＵにスリープ解除メッセージを送信して通常モードに切り替えた後、キープアライブメッセージを送信する方法がある（図３のキープアライブ３参照）。この場合、ＯＮＵは、確実にキープアライブメッセージを受信し、キープアライブＡＣＫメッセージをＯＬＴに返すことができる。しかしながら、この方法では、キープアライブメッセージを送信する毎にパワーセーブモードを解除するため、省電力効果が低くなる。
【００２７】
図４は、本実施形態に係るＰＯＮシステム１０におけるパワーセーブ機能とキープアライブ機能の動作を説明するためのシーケンス図である。本実施形態に係るＰＯＮシステム１０は、以下のような方法を用いて、パワーセーブモードの間にＯＮＵ１２がキープアライブメッセージを受信できる可能性を高めることができる。
【００２８】
ＯＮＵ１２が通常モードで動作している場合、ＯＮＵ１２は所定の通常モード用送信間隔ＫＥＥＰ＿ＩＮＴ（例えば数秒間隔）でキープアライブメッセージを送信する。ＯＬＴ１４は、パワーセーブモードに設定したいＯＮＵ１２に対し、スリープ要求メッセージを送信する。スリープ要求メッセージを受信したＯＮＵ１２は、ＯＬＴ１４にスリープ開始了解メッセージを送信するとともに、自身の動作モードを通常モードからパワーセーブモードに切り替える。動作モードがパワーセーブモードに設定されている間、ＯＮＵ１２は、スリープ期間Ｔｓとアクティブ期間Ｔａを周期的に繰り返す。
【００２９】
ここで本実施形態に係るＰＯＮシステム１０においては、ＯＮＵ１２の動作モードがパワーセーブモードに切り替えられた場合、ＯＬＴ１４は、キープアライブメッセージの送信間隔を、通常モード用送信間隔ＫＥＥＰ＿ＩＮＴからパワーセーブモード用送信間隔ＫＥＥＰ＿ＩＮＴ’に切り替える。このパワーセーブモード用送信間隔ＫＥＥＰ＿ＩＮＴ’は、アクティブ期間Ｔａよりも短く設定される。パワーセーブモード用送信間隔ＫＥＥＰ＿ＩＮＴ’でキープアライブメッセージを送信することにより、パワーセーブモードのアクティブ期間ＴａにＯＮＵ１２がキープアライブメッセージを受信して、ＯＬＴ１４に応答メッセージを返す可能性を高めることができる。従って、本実施形態によれば、キープアライブ通信の成功率を高めることができる。
【００３０】
上述したように、ＯＬＴ１４は、送信したキープアライブメッセージに対する応答メッセージがＯＮＵ１２から返ってこない場合、キープアライブメッセージを再送するが、所定の送信回数を終了すると、キープアライブ失敗と判断する。本実施形態では、設定された送信回数が少ない場合、ＯＮＵ１２がアクティブ状態のときにキープアライブメッセージが送信されず、キープアライブ失敗と判断される可能性がある。
【００３１】
そこで、本実施形態に係るＰＯＮシステム１０においては、キープアライブメッセージの累積送信時間Ｔａｃがスリープ期間Ｔｓより長くなるように、キープアライブメッセージのパワーセーブモード用送信回数Ｎ’を設定する。「累積送信時間Ｔａｃ」とは、（あるキープアライブ通信成功後の）初回のキープアライブメッセージの送信時から最終回のキープアライブメッセージの送信時までの時間である。上記の条件を式に表すと以下のようになる。
Ｔａｃ＝ＫＥＥＰ＿ＩＮＴ’×Ｎ’＞Ｔｓ
従って、パワーセーブモード用送信回数Ｎ’は、スリープ期間Ｔｓをパワーセーブモード用送信間隔ＫＥＥＰ＿ＩＮＴ’で割った値よりも大きな整数に設定されることが望ましい。このようにパワーセーブモード用送信回数Ｎ’を設定することで、ＯＮＵ１２は、自身がアクティブ状態のときに少なくとも一回は確実にキープアライブメッセージを受信することができ、キープアライブＡＣＫメッセージをＯＬＴ１４に返すことができる。従って、本実施形態に係るＰＯＮシステム１０においては、パワーセーブモードのときのパワーセーブモード用送信間隔ＫＥＥＰ＿ＩＮＴ’をアクティブ期間Ｔａよりも短く設定するとともに、パワーセーブモード用送信回数Ｎ’を、スリープ期間Ｔｓをパワーセーブモード用送信間隔ＫＥＥＰ＿ＩＮＴ’で割った値よりも大きな整数に設定することにより、ＯＮＵ１２がパワーセーブモードであっても、キープアライブ通信を確実に成功させることができる。
【００３２】
図４に示すように、パワーセーブモード用送信間隔ＫＥＥＰ＿ＩＮＴ’は、通常モード用送信間隔ＫＥＥＰ＿ＩＮＴよりも短く設定されることが望ましい。通常モードで動作しているＯＮＵ１２は、基本的にどのようなタイミングでキープアライブメッセージを送信されても応答できる。従って、通常モードのＯＮＵ１２に対しては、比較的長い通常モード用送信間隔ＫＥＥＰ＿ＩＮＴでキープアライブメッセージを送信することで、ＯＡＭフレームによる通信帯域の減少を抑制できる。
【００３３】
また、キープアライブメッセージの通常モード用送信回数Ｎｔは、パワーセーブモード時の送信回数Ｎｔ’より少なく設定されることが望ましい。通常モードで動作しているＯＮＵ１２に関しては、パワーセーブモード時ほど多くキープアライブメッセージを送信しなくても、適切に通信回線やＯＮＵ１２の正常／異常を判断できるからである。この場合も、ＯＡＭフレームによる通信帯域の減少を抑制できる。
【００３４】
図５は、本実施形態に係るＯＬＴ１４の構成を説明するための図である。図５に示すように、ＯＬＴ１４は、上位ネットワークからの光信号を受信する受信部２８、下り信号を格納するメモリ２６、下り信号を暗号化する暗号部２４、下り信号にＦＥＣ（Forward Error Correction）エンコード処理を行うＦＥＣエンコーダ２２、およびＰＯＮ区間（すなわちＯＮＵ１２）に下り光信号を送信する送信部２０を備える。また、ＯＬＴ１４は、ＰＯＮ区間（すなわちＯＮＵ１２）からの上り光信号を受信する受信部２１、上り信号にデコード処理を行うＦＥＣデコーダ２３、上り信号の暗号を解読する暗号解読部２５、上り信号を格納するメモリ２７、および上位ネットワークに光信号を送信する送信部２９を備える。
【００３５】
また、本実施形態に係るＯＬＴ１４は、動作モード制御部３０をさらに備える。動作モード制御部３０は、ＯＬＴ１４に接続されている各ＯＮＵ１２の動作モードを、通常モードとパワーセーブモードとのいずれかに制御する。
【００３６】
動作モード制御部３０は、ＯＮＵ管理部３２と、パワーセーブ判定部３３と、スリープ要求送信部３４と、スリープ要求受信部３５と、トラフィック監視部３６とを備える。
【００３７】
トラフィック監視部３６は、ＯＬＴ１４配下のＯＮＵ１２毎に、ＰＯＮ区間の通信トラフィックの有無を監視して、監視結果をパワーセーブ判定部３３に出力する。スリープ要求受信部３５は、各ＯＮＵ１２からのスリープ要求メッセージを受信して、パワーセーブ判定部３３に出力する。
【００３８】
パワーセーブ判定部３３は、ＰＯＮ区間の通信トラフィックが無いＯＮＵ１２に対し、動作モードを通常モードからパワーセーブモードに切り替える判定を行う。また、パワーセーブ判定部３３は、ＰＯＮ区間の通信トラフィックが発生したＯＮＵ１２に対し、動作モードをパワーセーブモードから通常モードに切り替える判定を行う。さらに、パワーセーブ判定部３３は、スリープ要求メッセージを送信してきたＯＮＵ１２に対し、動作モードを通常モードからパワーセーブモードに切り替える判定を行う。パワーセーブ判定部３３の判定結果は、ＯＮＵ管理部３２に出力される。
【００３９】
ＯＮＵ管理部３２は、パワーセーブ判定部３３による判定結果と、各ＯＮＵからのＳＬＥＥＰ＿ＡＣＫメッセージに基づいて、各ＯＮＵ１２の最新の動作モード（すなわち、動作モード＝通常モードｏｒパワーセーブモード）を管理する。
【００４０】
あるＯＮＵ１２に関し、パワーセーブ判定部３３が通常モードからパワーセーブモードへの切替を判定した場合、ＯＮＵ管理部３２はその判定情報をスリープ要求送信部３４に通知する。該通知を受けたスリープ要求送信部３４は、切替対象のＯＮＵ１２に対し、スリープ要求メッセージ（ＳＬＥＥＰ＿ＡＬＬＯＷ）を送信する。また、スリープ要求送信部３４は、パワーセーブモードを解除したいＯＮＵ１２に対し、スリープ解除メッセージを送信する。これらのメッセージの送受信は、ＭＰＣＰフレームを使用して行われる。
【００４１】
また、本実施形態に係るＯＬＴ１４は、キープアライブ通信部３１をさらに備える。キープアライブ通信部３１は、ＯＬＴ１４と各ＯＮＵ１２間の接続が有効な状態であることを確認するためのキープアライブ通信を行う。キープアライブ通信部３１は、キープアライブ送信部３９と、キープアライブ受信部４０とを備える。
【００４２】
キープアライブ送信部３９は、動作モード制御部３０のＯＮＵ管理部３２を参照し、キープアライブメッセージを送信するＯＮＵ１２の動作モードが通常モードであるか、パワーセーブモードであるか確認する。キープアライブ送信部３９は、通常モードのＯＮＵ１２に対しては、通常モード用送信間隔ＫＥＥＰ＿ＩＮＴでキープアライブメッセージを周期的に送信する。一方、キープアライブ送信部３９は、パワーセーブモードのＯＮＵ１２に対しては、パワーセーブモード用送信間隔ＫＥＥＰ＿ＩＮＴ’でキープアライブメッセージを周期的に送信する。キープアライブ送信部３９がキープアライブメッセージの送信を繰り返す通常モード用送信回数Ｎおよびパワーセーブモード用送信回数Ｎ’に関しては、上述したとおりである。
【００４３】
キープアライブ受信部４０は、キープアライブメッセージを送信したＯＮＵ１２からの応答メッセージ（ＫＥＥＰ＿ＡＬＩＶＥ＿ＡＣＫ）を受信する。ＯＮＵ１２から応答メッセージが到着したか否か検出することで、途中の通信経路やＯＮＵ１２の正常／異常を判断できる。キープアライブ機能に関するメッセージの送受信は、ＯＡＭフレームを使用して行われる。
【００４４】
以上、本実施形態に係るＰＯＮシステム１０について説明した。本実施形態に係るＰＯＮシステム１０は、ＯＬＴ１４の動作モード制御部３０と、キープアライブ通信部３１とが連携するよう構成される。すなわち、キープアライブメッセージを送信するＯＮＵ１２の動作モードが通常モードであるかパワーセーブモードであるかに応じて、キープアライブメッセージを送信する間隔を通常モード用送信間隔ＫＥＥＰ＿ＩＮＴとパワーセーブモード用送信間隔ＫＥＥＰ＿ＩＮＴ’との間で切り替え可能に構成した。パワーセーブモード用送信間隔ＫＥＥＰ＿ＩＮＴ’は、パワーセーブモードのアクティブ期間Ｔａよりも短く設定される。これにより、キープアライブ通信の成功率を高めることができる。さらに、本実施形態に係るＰＯＮシステム１０では、パワーセーブモード用送信回数Ｎ’を、スリープ期間Ｔｓをパワーセーブモード用送信間隔ＫＥＥＰ＿ＩＮＴ’で割った値よりも大きな整数に設定することにより、ＯＮＵ１２がパワーセーブモードであっても、キープアライブ通信を確実に成功させることができる。
【００４５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００４６】
１０  ＰＯＮシステム、  １１  基幹光ファイバ、  １２  ＯＮＵ、  １３  分岐光ファイバ、  １４  ＯＬＴ、  １６  光スプリッタ、  ３０  動作モード制御部、  ３１  キープアライブ通信部、  ３２  ＯＮＵ管理部、  ３３  パワーセーブ判定部、  ３４  スリープ要求送信部、  ３５  スリープ要求受信部、  ３６  トラフィック監視部、  ３９  キープアライブ送信部。
【図１】
2014175753.tif 000003
【図２】
2014175753.tif 000004
【図３】
2014175753.tif 000005
【図４】
2014175753.tif 000006
【図５】
2014175753.tif 000007